(57)【特許請求の範囲】
【請求項１】
缶本体より延出した放出部を後退させて当該放出部より内容物を放出するスプレー缶と、該スプレー缶に着脱自在に嵌着される嵌合部とを備えたスプレー装置において、
前記スプレー缶の前記放出部に嵌着され該放出部から前記内容物を噴出する際に操作される操作部を前記嵌合部に揺動自在に設け、前記スプレー缶への前記嵌合部の脱着に応じて前記操作部が前記放出部に着脱されるように構成する一方、
前記スプレー缶に残存した前記内容物を放出して廃棄する際に、前記操作部と前記放出部との間に配置される放出具を備え、
該放出具を前記操作部と前記放出部との間に配置して前記嵌合部を前記スプレー缶に嵌着した状態で、前記放出具が前記放出部に当接して該放出部を後退させる位置に当該放出具を維持する維持部を前記嵌合部に設けたことを特徴とするスプレー装置。
【請求項２】
前記放出部が当接する前記放出具の当接面に通気性且つ吸液性の部材を配置したことを特徴とする請求項１記載のスプレー装置。
【請求項３】
前記放出部が当接する前記放出具の当接面に、当該当接面を横断する溝を形成するとともに、該溝の端部を当該放出具の側方に開放したことを特徴とする請求項１又は２記載のスプレー装置。
【請求項４】
前記放出具を前記操作部と前記放出部との間に配置した状態で、前記操作部に設けられた前記放出部挿入用の挿入穴に位置決めされる位置決め部を前記放出具に突設したことを特徴とする請求項１、２又は３記載のスプレー装置。
【請求項５】
前記嵌合部を、前記スプレー缶に嵌着される筒状の周壁と該周壁の一端を閉鎖する天面とからなる容器状に形成し、該天面に当該天面を横断する溝部を凹設して該溝部の側壁と前記周壁との間に前記天面を底部とした容器状の空間を形成する一方、
前記溝部の底面に、一部が欠損したリング形状のスリットを形成して一部が前記底面に連設された前記操作部を前記スリットの内側に形成するとともに、前記放出具が架橋した状態で維持される前記維持部を前記スリットの外側の開口縁部に設定したことを特徴とする請求項１から４にいずれか記載のスプレー装置。
【発明の詳細な説明】
【技術分野】
【０００１】
本発明は、スプレー缶に収容された内容物をスプレーするスプレー装置に関する。
【背景技術】
【０００２】
従来、図７に示すように、スプレー缶８０１より延出した延出パイプ８０２にノズル８０３を取り付けたスプレー装置８０４が知られており（例えば、特許文献１）、前記ノズル８０３を押圧操作することによって、前記スプレー缶８０１内の内容物を前記ノズル８０３から噴霧できるように構成されている。
【０００３】
このスプレー装置８０４は、上端部に着脱される上蓋８１１と障害物８１２とを備えており、廃棄時には、逆さまに配置した前記上蓋８１１の平坦部８１３に前記障害物８１２を載置するとともに、この上蓋８１１に前記スプレー缶８０１を嵌着して前記ノズル８０３を前記障害物８１２で押圧することにより、前記スプレー缶８０１のガス抜きが行えるように構成されている。
【特許文献１】特開１０−８６９８４号公報
【発明の開示】
【発明が解決しようとする課題】
【０００４】
しかしながら、このような従来のスプレー装置８０４にあっては、使用時に不要となる上蓋８１１を紛失することがあった。
【０００５】
この場合、使用後にスプレー缶のガス抜きを行うことができなくなってしまう。
【０００６】
本発明は、このような従来の課題に鑑みてなされたものであり、ガス抜きを確実に行うことができるスプレー装置を提供することを目的とするものである。
【課題を解決するための手段】
【０００７】
前記課題を解決するために本発明の請求項１のスプレー装置にあっては、缶本体より延出した放出部を後退させて当該放出部より内容物を放出するスプレー缶と、該スプレー缶に着脱自在に嵌着される嵌合部とを備えたスプレー装置において、前記スプレー缶の前記放出部に嵌着され該放出部から前記内容物を噴出する際に操作される操作部を前記嵌合部に揺動自在に設け、前記スプレー缶への前記嵌合部の脱着に応じて前記操作部が前記放出部に着脱されるように構成する一方、前記スプレー缶に残存した前記内容物を放出して廃棄する際に、前記操作部と前記放出部との間に配置される放出具を備え、該放出具を前記操作部と前記放出部との間に配置して前記嵌合部を前記スプレー缶に嵌着した状態で、前記放出具が前記放出部に当接して該放出部を後退させる位置に当該放出具を維持する維持部を前記嵌合部に設けた。
【０００８】
すなわち、このスプレー装置にあっては、内容物を放出するスプレー缶と、該スプレー缶に着脱自在に嵌着される嵌合部とを備えており、前記スプレー缶から前記内容物を噴出する際に操作される操作部は、前記嵌合部に揺動自在に設けられている。このため、当該スプレー装置使用時には、前記嵌合部が必ず必要となり、使用中での不用意な紛失が防止される。
【０００９】
そして、前記操作部は、前記嵌合部に設けられており、前記スプレー缶から前記嵌合部を離脱した際には、前記操作部も前記スプレー缶の放出部から離脱される。
【００１０】
このため、前記スプレー缶に残存した前記内容物を放出して廃棄する際には、前記スプレー缶から離脱した前記嵌合部の維持部に放出具をセットし、該放出具を前記操作部と前記放出部との間に配置する。そして、この状態で当該嵌合部に前記スプレー缶を嵌着する。すると、前記放出具が前記放出部に当接することによって該放出部を後退させるので、前記スプレー缶に残存した前記内容物は、前記嵌合部内に放出される。
【００１１】
このように、使用時に必ず必要となる嵌合部を用いて前記スプレー缶のガス抜きが行われる。
【００１２】
また、請求項２のスプレー装置においては、前記放出部が当接する前記放出具の当接面に通気性且つ吸液性の部材を配置した。
【００１３】
これにより、内容物放出時において、放出部の開口部が平坦に形成された放出具の当接面に密着する恐れのある場合と比較して、放出部の開口の不用意な閉鎖が防止される。このため、効率的に内容物が放出されるとともに内容物の吸収も行われる。
【００１４】
さらに、請求項３のスプレー装置では、前記放出部が当接する前記放出具の当接面に、当該当接面を横断する溝を形成するとともに、該溝の端部を当該放出具の側方に開放した。
【００１５】
すなわち、スプレー缶の放出部が当接する放出具の当接面には、当該当接面を横断する溝が形成されており、この溝の端部は、当該放出具の側方に開放されている。このため、前記スプレー缶の放出部に放出具を当接して前記放出部から内容物を放出した際には、前記放出部から放出された内容物は、前記溝を介して前記放出具の側方へ案内される。
【００１６】
また、請求項４のスプレー装置にあっては、前記放出具を前記操作部と前記放出部との間に配置した状態で、前記操作部に設けられた前記放出部挿入用の挿入穴に位置決めされる位置決め部を前記放出具に突設した。
【００１７】
これにより、放出具は、位置決め部が操作部に設けられた挿入穴に挿入された状態で位置決めされる。
【００１８】
さらに、請求項５のスプレー装置においては、前記嵌合部を、前記スプレー缶に嵌着される筒状の周壁と該周壁の一端を閉鎖する天面とからなる容器状に形成し、該天面に当該天面を横断する溝部を凹設して該溝部の側壁と前記周壁との間に前記天面を底部とした容器状の空間を形成する一方、前記溝部の底面に、一部が欠損したリング形状のスリットを形成して一部が前記底面に連設された前記操作部を前記スリットの内側に形成するとともに、前記放出具が架橋した状態で維持される前記維持部を前記スリットの外側の開口縁部に設定した。
【００１９】
すなわち、嵌合部の天面に形成された溝部の底面には、一部が欠損したリング形状のスリットが形成されており、前記溝部には、前記底面に一部が連設された操作部が形成されている。そして、前記放出具は、前記スリットの外側の開口縁部に設定された維持部に架橋された状態で維持される。
【００２０】
一方、前記溝部の側壁と前記周壁との間には、前記天面を底部とした容器状の空間が形成されている。このため、前記放出部から放出された気体状の内容物は、前記スリットを介して外部に放出されるとともに、液体状又は固体状の内容物は、前記放出具に沿って案内され前記容器状の空間に保持される。
【発明の効果】
【００２１】
以上説明したように本発明の請求項１のスプレー装置にあっては、スプレー装置を使用する際に必ず必要となる嵌合部を用いてスプレー缶のガス抜きを行う。
【００２２】
このため、使用時には不必要な上蓋を用いてガス抜きを行う従来のように、上蓋を紛失してガス抜きができなくなるといった不具合を防止することができる。したがって、廃棄時においては、ガス抜きを確実に行うことができる。
【００２３】
また、請求項２のスプレー装置においては、内容物放出時において、放出部の開口部が平坦に形成された放出具の当接面に密着する恐れのある場合と比較して、放出部の開口を塞いでしまうことが無く、効率的に内容物を放出することができるとともに、内容物を吸収することもできる。
【００２４】
さらに、請求項３のスプレー装置では、スプレー缶の放出部が当接する放出具の当接面に溝が形成されており、この溝の端部は、当該放出具の側方に開放されている。
【００２５】
このため、前記スプレー缶の放出部に放出具を当接して前記放出部から内容物を放出する際には、前記放出部の開口を塞いでしまうこと無く内容物を放出することができるとともに、前記放出部から放出された内容物を、前記溝を介して前記放出具の側方へ案内して放出することができる。
【００２６】
また、請求項４のスプレー装置にあっては、放出具を操作部と放出部との間に配置した状態において、放出具に設けられた位置決め部を、操作部に設けられた挿入穴に挿入した状態で当該放出具を位置決めすることができる。
【００２７】
これにより、前記操作部の前記挿入穴を有効活用し、前記放出具の不用意な位置ずれを防止することができる。
【００２８】
さらに、請求項５のスプレー装置においては、前記放出具を、前記溝部の底面に形成された前記スリット外側の開口縁部に架橋した状態で維持することができる。
【００２９】
そして、前記溝部の側壁と前記周壁との間には、前記天面を底部とした容器状の空間が形成されている。このため、前記放出部から放出された気体状の内容物は、前記スリットを介して外部に放出されるとともに、液体状または固体状の内容物は、前記放出具に沿って案内することにより、前記容器状の空間に保持することができる。
【発明を実施するための最良の形態】
【００３０】
（第１の実施の形態）
【００３１】
以下、本発明の第１の実施の形態を図に従って説明する。図１は、本実施の形態にかかるスプレー装置１を示す図であり、該スプレー装置１は、芳香剤や消臭剤や殺虫剤などの内容物としての噴霧剤を必要に応じて任意に噴霧する装置である。
【００３２】
このスプレー装置１は、噴霧剤が収容された金属製のスプレー缶１１と、該スプレー缶１１の上端部に着脱可能に取り付けられる嵌合部１２とによって構成されており、該嵌合部１２から前記スプレー缶１１を取り外すことによって当該スプレー缶１１を交換できるように構成されている。
【００３３】
このスプレー缶１１の缶本体２１は、円筒容器状に形成されており、当該缶本体２１の上端には、球面状の端面構成部２２が設けられている。該端面構成部２２の周縁は、前記缶本体２１の上縁と共にカシメられており、当該缶本体２１の上端部には、下方へ向けて折り返された外側折返し部２３が全周に渡って形成されるとともに、該外側折返し部２３の下部には、凹溝２４が全周に渡って形成されている。前記端面構成部２２の中央部には、噴霧剤を収容する為の収容口が設けられており、該収容口は、蓋体によって閉鎖されている（図示省略）。該蓋体の周縁は、前記収容口の周縁部と共にカシメられており、当該端面構成部２２の上端部には、下方へ向けて折り返された内側折返し部２５が全周に渡って形成されている。
【００３４】
前記蓋体からは、前記缶本体２１に収容された前記噴霧剤を噴出するための放出部としての放出パイプ３１が後退可能に延出しており、該放出パイプ３１には、前記噴霧剤の不用意な吹き出しを防止する図外のバルブ機構が設けられている。このバルブ機構は、前記放出パイプ３１を前記缶本体２１内側へ後退させた際に該缶本体２１内の噴霧剤を当該放出パイプ３１から噴出するように構成されている。
【００３５】
前記嵌合部１２は、弾性を有した合成樹脂によって形成されており、当該嵌合部１２は、前記スプレー缶１１の上端部に外嵌する円筒状の周壁４１と、該周壁４１の上端を閉鎖する円形の天面４２とによって容器状に形成されている。前記周壁４１の内側面には、前記スプレー缶１１の上部に設けられた前記凹溝２４内に挿入された状態で係合する凸条４３が端部に複数形成されており、各凸条４３，・・・は、図２に示すように、等間隔をおいて設けられている。
【００３６】
前記天面４２には、当該天面４２を横断する溝部５１が凹設されている。該溝部５１は、底面５２と該底面５２の両縁に沿って起立した側壁５３，５３とによって構成されており、前記各側壁５３，５３と前記周壁４１との間に前記天面４２を底部とした容器状の貯留空間５４，５４が形成されている。前記溝部５１の両端は、前記周壁４１に開口しており、当該溝部５１の先端側には、幅狭の幅狭部５５が形成されている。また、前記溝部５１の基端側には、前記幅狭部５５より幅寸法が広い幅広部５６が形成されている。
【００３７】
前記溝部５１の前記底面５２には、当該底面５２中央部より基端側へ向けて延出するとともに前記各側壁５３，５３に沿って延在するスリット６１が形成されており、両側壁５３，５３に沿って延在するスリット６１は、前記幅広部５６にて円弧状にカーブして連結されている。これにより、前記スリット６１は、一部が欠損したリング状を成すユーターン形状に形成されており、当該溝部５１の底面５２には、当該底面５２に舌片６２を介して揺動自在支持された円形状の操作部６５が形成されている。
【００３８】
この操作部６５の上面には、図２に示したように、複数の凸条部７１，・・・が形成されており、当該操作部６５を指で押す際の滑り止めとして機能するように構成されている。前記操作部６５の裏面には、図１にも示したように、前記スプレー缶１１の前記放出パイプ３１に外嵌する挿入穴７２が設けられており、該挿入穴７２の内側面には、挿入された前記放出パイプ３１の先端が当接する段差部７３が形成されている。前記操作部６５には、前方に延出した円筒状のノズル部７４が一体形成されており、該ノズル部７４は、前記挿入穴７２に連結されている。
【００３９】
これにより、前記操作部６５を指で押下した際には、前記挿入穴７２に挿入された前記放出パイプ３１を前記段差部７３によって前記スプレー缶１１側へ向けた放出方向７５へ付勢するように構成されており、この際に前記放出パイプ３１を介して前記スプレー缶１１から放出された噴霧剤を前記ノズル部７４先端より噴霧できるように構成されている。また、前記嵌合部１２を前記スプレー缶１１に脱着することによって、前記スプレー缶１１の前記放出パイプ７４を前記操作部６５の前記挿入穴７２に着脱できるように構成されている。
【００４０】
前記溝部５１の前記底面５２裏側には、図１及び図２の（ｂ）に示したように、前記スリット６１の外側の開口縁部に沿ってリブ８１が突設されており、該リブ８１の先端は、図３及び図４に示すように、放出具８５を支持して維持する維持部８６が設定されている。
【００４１】
この放出具８５は、前記スプレー缶１１に残存した前記噴霧剤を放出して廃棄する際に、前記操作部６５と前記放出パイプ３１との間に配置されて使用されるものである。前記放出具８５は、円形の板材によって形成されており、当該放出具８５は、前記操作部６５上に配置した状態で、該操作部に設けられた前記挿入穴７２を閉鎖するとともに、周縁部が前記リブ８１の前記維持部８６に支持される大きさに形成されている。また、前記放出具８５を前記リブ８１の前記維持部８６で支持した状態で前記嵌合部１２を前記スプレー缶１１に嵌着した際には、前記放出具８５が前記スプレー缶１１の前記放出パイプ３１に当接して該放出パイプ３１を前記放出方向７５に後退させる高さ位置に維持されるように構成されている。
【００４２】
このとき、前記放出パイプ３１が当接する前記放出具８５の当接面９１には、当該当接面９１を横断するＶ字溝９２が形成されており、該Ｖ字溝９２は、前記操作部６５に形成された前記挿入穴７２の真上に配置されるように構成されている。このＶ字溝９２の両端は、当該放出具８５の側方に開放されており、側方解放部９３，９３が形成されている。
【００４３】
以上の構成にかかる本実施の形態において、スプレー缶１１から噴霧剤を噴出する際に操作される操作部６５は、前記スプレー缶に嵌着される嵌合部１２に設けられている。このため、当該スプレー装置１使用時には、前記嵌合部１２が必ず必要となり、使用中での不用意な紛失を確実に防止することができる。
【００４４】
そして、前記操作部６５は、前記嵌合部１２に設けられており、前記スプレー缶１１から前記嵌合部１２を離脱した際には、前記操作部６５も前記スプレー缶１１の放出パイプ３１から離脱することができる。
【００４５】
このため、前記スプレー缶１１に残存した前記噴霧剤を放出して当該スプレー缶１１を廃棄する際には、該スプレー缶１１から離脱した前記嵌合部１２の維持部８６に放出具８５をセットし、該放出具８５を、前記操作部６５と前記放出パイプ３１との間に配置する。そして、この状態で当該嵌合部１２に前記スプレー缶１１を嵌着する。すると、前記放出具８５が前記放出パイプ３１に当接することによって該放出パイプ３１を後退させることができ、前記スプレー缶１１に残存した前記噴霧剤を前記嵌合部１２内に放出することができる。
【００４６】
このように、このスプレー装置１を使用する際に必ず必要となる前記嵌合部１２を用いてスプレー缶１１のガス抜きを行うため、使用時には不必要な上蓋を用いてガス抜きを行う従来のように、上蓋を紛失してガス抜きができなくなるといった不具合を防止することができる。
【００４７】
したがって、廃棄時においては、ガス抜きを確実に行うことができる。
【００４８】
また、前記スプレー缶１１の放出パイプ３１が当接する前記放出具８５の当接面９１には、当該当接面９１を横断するＶ字溝９２が形成されており、このＶ字溝９２の端部は、当該放出具８５の側方に開放されている。このため、前記スプレー缶１１の放出パイプ３１に放出具８５を当接して前記放出パイプ３１から噴霧剤を放出した際には、前記放出パイプ３１から放出された噴霧剤溶液を、前記Ｖ字溝９２を介して前記放出具８５の側方へ案内することができる。
【００４９】
そして、前記嵌合部１２の天面４２に形成された溝部５１の底面５２には、一部が欠損したリング形状のスリット６１が形成されており、前記溝部５１には、前記底面５２に一部が連設された前記操作部６５が形成されている。また、前記放出具８５は、前記スリット６１の外側の開口縁部に設定された維持部８６に架橋された状態で維持することができる。
【００５０】
一方、前記溝部５１の側壁５３，５３と前記周壁と４１の間には、前記天面４２を底部とした容器状の貯留空間５４，５４が形成されている。このため、前記放出パイプ３１から放出された噴霧剤は、前記放出具８５の前記Ｖ字溝９２に沿って前記貯留空間５４，５４に案内される。これにより、前記噴霧剤を、この貯留空間５４，５４に貯留して保持することができる。
【００５１】
（第２の実施の形態）
【００５２】
図５及び図６は、第２の実施の形態にかかる放出具１０１を示す図であり、第１の実施の形態と異なる部分に付いてのみ説明し、同一又は同等部分に付いては、同符号を付して説明を割愛する。
【００５３】
すなわち、この放出具１０１は、長方形状の板材によって構成されており、当該放出具１０１は、対向した前記リブ８１の維持部８６に架橋できる長さ寸法に設定されている。
【００５４】
この放出具１０１の中央部には、当該放出具１０１を前記操作部６５と前記放出パイプ３１との間に配置した状態で、前記操作部６５に設けられた前記挿入穴７２に位置決めされる円柱状の位置決め部１０５が突設されている。
【００５５】
これにより、前記放出具１０１を前記操作部６５と前記放出パイプ３１との間に配置した状態において、前記放出具１０１に設けられた位置決め部１０５を、操作部６５に設けられた前記挿入穴７２に挿入した状態で当該放出具１０１を位置決めすることができる。
【００５６】
したがって、前述した第１の実施の形態の効果に加えて、前記操作部６５の前記挿入穴７２を有効活用し、前記放出具１０１の不用意な位置ずれを防止することができる。
【００５７】
なお、本実施の形態の放出具１０１においては、前記放出パイプ３１に当接する当接面９１にＶ字溝９２が形成されていない場合を例に挙げて説明したが、これに限定されるものではなく、第１の実施の形態と同様に、両端が当該放出具１０１の側方に開放されたＶ字溝９２を前記当接面９１に形成しても良い。
【００５８】
また、前記第１の実施の形態の放出具８５に、当該放出具８５を前記操作部６５と前記放出パイプ３１との間に配置した状態で、前記操作部６５に設けられた前記挿入穴７２に位置決めされる円柱状の位置決め部１０５を突設しても良い。
【００５９】
そして、前記両実施の形態において、放出具８５，１０１を前記操作部６５と前記放出パイプ３１との間に配置した状態で、前記放出パイプ３１に当接する当接面９１に濾紙やティッシュや不織布等の通気性且つ吸液性の部材を設置することができる。
【００６０】
これにより、内容物としての噴霧剤放出時において、放出パイプ３１の開口部が平坦に形成された放出具８５，１０１の当接面９１に密着する恐れのある場合と比較して、放出パイプ３１の開口を塞いでしまうことが無く、効率的に噴霧剤を放出することができるとともに、噴霧剤を前記積層部材に吸収させることもできる。
【図面の簡単な説明】
【００６１】
【図１】本発明の第１の実施の形態を示す要部の断面図である。
【図２】同実施の形態の嵌合部を示す図で、（ａ）は平面図であり、（ｂ）は底面図である。
【図３】同実施の形態の放出具を示す図で、（ａ）は平面図であり、（ｂ）は側面図である。
【図４】同実施の形態の嵌合部に放出具をセットした状態を示す説明図である。
【図５】本発明の第２の実施の形態の放出具を示す図で、（ａ）は平面図であり、（ｂ）は側面図である。
【図６】同実施の形態の嵌合部に放出具をセットした状態を示す説明図である。
【図７】従来のスプレー装置を示す説明図である。
【符号の説明】
【００６２】
１    スプレー装置
１１    スプレー缶
１２    嵌合部
２１    缶本体
３１    放出パイプ
４１    周壁
４２    天面
５１    溝部
５２    底面
５３    側壁
５４    貯留空間
６１    スリット
６５    操作部
７２    挿入穴
８１    リブ
８５    放出具
８６    維持部
９１    当接面
９２    Ｖ字溝
９３    側方解放部
１０１    放出具
１０５    位置決め部
【図１】
0004676307.tif 000002
【図２】
0004676307.tif 000003
【図３】
0004676307.tif 000004
【図４】
0004676307.tif 000005
【図５】
0004676307.tif 000006
【図６】
0004676307.tif 000007
【図７】
0004676307.tif 000008